(57)【要約】      （修正有）【課題】囲碁学習に最適な形状の小型碁盤を提供する。【解決手段】両面使用の小型碁盤１の少なくとも表面を、縦横の罫線の数を異なるものとし、前記碁盤１の表面１ａを、縦１３路×横１７路、前記小型碁盤１の裏面１ｂを、縦１３路×横１３路とした。【効果】小型碁盤であっても、局部的に本碁盤と同様の規格で使用できる。また、特に、詰碁、布石の学習、定石手筋、死活の研究等に好適な大きさであるため、囲碁学習を効果的に行うことができ、更に、裏面も１３路盤として囲碁、五目並べを楽しむことができる。【選択図】図１
0003101668.tif 000002
【実用新案登録請求の範囲】
【請求項１】
碁盤両面を使用し、かつその表面の縦横の罫線の数を異なるものとしたことを特徴とする小型碁盤。
【請求項２】
前記碁盤の表面を、縦１３路×横１７路としたことを特徴とする請求項１記載の小型碁盤。
【請求項３】
前記碁盤の裏面を、縦１３路×横１３路としたことを特徴とする請求項２記載の小型碁盤。
【請求項４】
前記碁盤の縦１３路×横１７路の面について、右辺又は左辺の星の位置を上下隅のどちらかに２目ずらすことにより星の間隔が１９路盤と同一となるようにしたことを特徴とする請求項１〜３のいずれかに記載の小型碁盤。
【請求項５】
請求項１〜４に記載の小型碁盤と別体で、且つ使用時に前記小型碁盤と合体可能であることを特徴とする碁盤台。
【考案の詳細な説明】
【技術分野】
【０００１】
本考案は両面使用の小型碁盤に関し、囲碁学習に最適な形状で且つ小型化可能な小型碁盤及びその小型碁盤に使用可能な碁盤台に関する。
【背景技術】
【０００２】
通常の碁盤は、１９路盤である。練習用には、罫数を減じた小型碁盤として、１３路盤、９路盤等がある。
【０００３】
また、この他、下記の特許文献１〜３に開示されているような小型碁盤、又は変形碁盤がある。
【０００４】
特許文献１（実用新案登録第２５９８８４２号公報）は、通常の碁盤の上に枠状の板と四角柱状の板を並べるだけで、ひとつの碁盤を様々な大きさと形の碁盤として使用することができるものである。
【０００５】
また、特許文献２（特開２００１−３７９４６号公報）は、縦６路、横６路からなる碁盤であり、ポン抜きゲームを囲碁入門に繋げるための碁盤である。
【０００６】
特許文献３（登録実用新案第３０５２３０２号公報）は、碁盤を半分に切断してスライドして変形可能として変形碁盤として使用するようにしたものである。
【０００７】
【特許文献１】登録実用新案第２５９８８４２号公報
【特許文献２】特開２００１−３７９４６号公報
【特許文献３】登録実用新案第３０５２３０２号公報
【考案の開示】
【考案が解決しようとする課題】
【０００８】
囲碁の普及している現在では、実際に対局することよりも、独習で定石布石詰碁等を行うことが多い。このため、特に、自宅において、効率的な碁盤において練習を行う必要がある。詰碁手筋の研究は、碁盤の一部分を限定して利用することが多いため、本碁盤を使用する必要がなく、また、本碁盤では形状が大きく、自宅においては場所も取り、持ち運びも不便である。このため、小型碁盤、変形碁盤があるが、置石を集中的に見られるような長方形の碁盤はなかった。
【課題を解決するための手段】
【０００９】
本考案はかかる従来のものを更に改良するもので、請求項１記載の考案では、碁盤両面を使用し、かつその表面の縦横の罫線の数を異なるものとしたことを特徴とする。
【００１０】
請求項２記載の考案では、前記碁盤の表面を、縦１３路×横１７路としたことを特徴とする。
【００１１】
請求項３記載の考案では、前記碁盤の裏面を、縦１３路×横１３路としたことを特徴とする。
【００１２】
請求項４記載の考案では、前記碁盤の少なくとも表面について、右辺又は左辺の星の位置を上下隅のいずれかにずらして、右辺又は左辺の星と、上隅又は下隅の星との長い方の間隔が１９路盤と同数となるようにしたことを特徴とする。
【００１３】
請求項５記載の考案では、請求項１〜４に記載の小型碁盤と別体で、且つ使用時に碁盤と合体可能であることを特徴とする。
【考案の効果】
【００１４】
以上のように、本考案のうち請求項１記載の考案によれば、碁盤両面を使用し、かつその表面の縦横の罫線の数を異なるものとしたことにより、変形碁盤として、囲碁を楽しむことができる。
【００１５】
例えば、定石通りでも一方に相手石があれば通用しないこともあり（シチョウダメ詰まり等）、作戦を十分に考慮する必要があるため、通常の囲碁では味わえない楽しさを経験することが可能となる。また、局所的な対戦のため、集中力が要求されるものである。定石布石の学習においては、隅の星から両辺に跨り、天元に及ぶケースが多いことから、小型碁盤の形状を長方形とすることにより、必要に応じた使用が可能となる。また、詰碁、手筋の学習では、一部分の限定利用が多いので、本碁盤を使用しなくてもよいため、本考案のような簡易な小型碁盤の方が場所も取らず、携帯可能であり、任意の場所で囲碁学習できるという効果がある。
【００１６】
また、縦横の罫数を変えることにより、置石を集中的に見られるようにしたので、効果的に囲碁学習を行うことができる。
【００１７】
請求項２記載の考案では、表面を、縦１３路×横１７路としたことにより、局部的に本碁盤と同様の規格で使用できる。また、特に、詰碁、布石の学習、定石手筋、死活の研究等に好適な大きさであるため、囲碁学習を効果的に行うことができる。更に、通常の１９路盤に比較して小さいため、一局に費やす時間を短縮できるため、十分な時間がない場合であっても、簡易に囲碁を楽しむことができる。
【００１８】
請求項３記載の考案では、裏面を、縦１３路×横１３路としたことにより、ミニ碁を楽しむことができ、且つ五目並べとして使用することも可能である。両面での利用が可能であるので、１組の碁盤碁石があれば、２組又は３組の小型碁盤で碁対戦や五目並べも可能となる。また、収納場所をあまりとらず、机上、応接台、和室、その他場所を選ばずに使用できる。
【００１９】
請求項４記載の考案では、前記小型碁盤の少なくとも表面について、右辺又は左辺の星の位置を左右のいずれかにずらして、星の間隔が１９路盤と同数となるようにしたことにより、局部的に本碁盤と同規格で使用できるため、小型碁盤でありながら本碁盤と同様に局所における詰碁、手筋の学習を行うことができるため効果的である。
【００２０】
請求項５記載の考案では、小型碁盤と別体で、且つ使用時に碁盤と合体可能であるので、碁盤台の上に載せて碁盤の両面を使用することができる。
【考案を実施するための最良の形態】
【００２１】
本考案の最良の実施の形態の小型碁盤について、図により詳細に説明する。図１は、本考案の実施の形態の小型碁盤の表面を示す平面図、図２は、図１の碁盤の裏面を示す平面図である。図３は、図１の小型碁盤の表面を使用する場合、長辺を横方向に使用した例を説明する図、図４は、図１の小型碁盤の表面を使用する場合、長辺を縦方向に使用した例を説明する図である。図５（ａ）は、小型碁盤及び碁盤台（台座）について裏面側から見た平面図、（ｂ）は小型碁盤及び碁盤台（台座）の側面図である。
【００２２】
図１により、小型碁盤１の星２の位置について説明する。
【００２３】
小型碁盤１を横長に置き、右上辺の星２から左辺に左上辺の星２を２目ずらす。左下辺の星２も同じく左に２目ずらす。これにより、上下辺とも星の位置間隔が本碁盤と同一になる。辺の星については中心の点（天元）の星２を基準に置き石によって６目間隔になるように調整する。また、左下辺の星を基準とするときは右下辺の星２を２目ずらし右上辺の星２も同じく２目ずらす。これにより、右上辺又は左下辺のどちらかの星を基準に動かすことにより部分的に本碁盤と同じように星間隔を調整することができる。また、縦長方向に小型碁盤１を置いても同様である。
【００２４】
表面１ａでは、本碁盤に対して、６０％、裏面１ｂは４７％の占有面積に相当する。
【００２５】
また、図３に示すように、小型碁盤１の長辺を横長に向けた場合には、星の位置は、長辺方向が上辺、下辺に対応し、上辺の左右に対応して左上隅、右上隅、両側の辺が左辺、右辺、下側の左右が、左下隅、右下隅となる。
図４に示す基本使用のように、小型碁盤１を縦長においた場合にも、同様に、１７×１３として使用することができる。
【００２６】
碁盤台（台座）３には、基本的には、４つの脚が取り付けられている（図５示のものは３つの脚）が、碁盤台３は小型碁盤１とは別体で、小型碁盤１を碁盤台３に合体可能で、使用目的に応じて裏面を使用可能とするようにしている。これにより、両面利用の利点を生かして、目先を出来るだけ近づけられるようにしている。
【００２７】
本実施の形態の小型碁盤では、好ましくは、厚さ３ｃｍ以上で、本萱、檜等の一枚板で製造するのが良い。これにより、実際の碁盤では使用されないような木材を有効に利用することが可能となる。
【００２８】
本実施の形態のように、小型碁盤の表面を、縦１３路×横１７路とし、且つ前記小型碁盤の裏面を、縦１３路×横１３路とし、前記小型碁盤の縦１３路×横１７路の面について、右辺又は左辺の星の位置を上下隅のいずれかに２目ずらして、右辺又は左辺の星と、上隅又は下隅の星との間隔が６目となるようにしたので、最適に上記の効果を有する。すなわち、小型碁盤であっても、局部的に本碁盤と同様の規格で使用できる。また、特に、詰碁、布石の学習、定石手筋、死活の研究等に好適な大きさであるため、囲碁学習を効果的に行うことができ、更に、裏面も１３路盤として囲碁、五目並べを楽しむことができる。
【図面の簡単な説明】
【００２９】
【図１】本考案の実施の形態の小型碁盤の表面を示す平面図である。
【図２】図１の小型碁盤の裏面を示す平面図である。
【図３】図１の小型碁盤の表面を使用する場合、横長に使用した例を説明する図である。
【図４】図１の小型碁盤の表面を使用する場合、縦長に使用した例を説明する図である。
【図５】（ａ）は、小型碁盤及び碁盤台（台座）について裏面側から見た平面図、（ｂ）は碁盤及び碁盤台（台座）の側面図である。
【符号の説明】
【００３０】
１  ：  小型碁盤（碁盤）
１ａ：  表面
１ｂ：  裏面
２  ：  星
３  ：  碁盤台
【図１】
0003101668.tif 000003
【図２】
0003101668.tif 000004
【図３】
0003101668.tif 000005
【図４】
0003101668.tif 000006
【図５】
0003101668.tif 000007